(57)【要約】【課題】安価で再収納可能な携帯袋を提供する。【解決手段】１本の輪状の紐６と、紐６が挿通される挿通部７と、挿通部７の両端に開口し、紐６の一部が突出する挿通孔８と、挿通孔８が近傍に設けられた、内部に物を出し入れ可能な開口部とを有する袋本体５と、紐６に設けられ、折り畳まれた袋本体５を収納可能である、一部のみが開口された筒状の包装袋４とから構成される。  包装袋４は、紐６の径方向反対側に１つずつ設けられたことを特徴とする場合もある。また、包装袋４の底部分９に紐６が接続されていることを特徴とする場合もある。【選択図】図１
0003123830.tif 000002
【実用新案登録請求の範囲】
【請求項１】
１本の輪状の紐と、
該紐が挿通される挿通部と、該挿通部の両端に開口し、前記紐の一部が突出する挿通孔と、該挿通孔が近傍に設けられた、内部に物を出し入れ可能な開口部とを有する袋本体と、
前記紐に設けられ、折り畳まれた前記袋本体を収納可能である、一部のみが開口された筒状の包装袋と
を備えたことを特徴とする携帯袋。
【請求項２】
前記包装袋は、前記紐の径方向反対側に１つずつ設けられたことを特徴とする、請求項１に記載の携帯袋。
【請求項３】
前記包装袋は、前記紐の一部に１つのみ設けられたことを特徴とする、請求項１に記載の携帯袋。
【請求項４】
前記包装袋は、折り畳まれた前記袋本体の長さを有し、長手方向に切目が設けられて、前記紐の一部に１つのみ設けられたことを特徴とする、請求項１に記載の携帯袋。
【請求項５】
前記包装袋の底部分に前記紐が接続されていることを特徴とする、請求項１〜４の何れかに記載の携帯袋。
【考案の詳細な説明】
【技術分野】
【０００１】
本考案は、袋、特に、未使用時に袋本体を折り畳んで、包装袋にコンパクトに収納し保管及び携帯する携帯袋に関するものである。
【背景技術】
【０００２】
近年、環境保護の観点から省資源化及び再利用化の意識が高まる中、物を持ち運ぶ袋を小型化して携帯及び保管するために様々な手段が講じられてきた。
【０００３】
例えば、開口部と、該開口部を閉じるための紐とを備えた袋本体と、折りたたまれた状態の前記袋本体を収納して封止した包装部を有し、前記包装部は、少なくとも前記紐あるいは前記袋本体の一部とが接着されており、前記包装部は、その表面に印刷面を有し、さらに、前記包装部には互いに交差する第１と第２の方向に切り込み線が設けられ、前記紐あるいは前記包装部の両端部を引っ張ることにより、前記包装部が前記第１の切り込み線から分割されながら、かつ前記第２の切り込み線が破れつつ開封され、同時に収納されていた前記袋本体が折りたたみがとけつつ前気包装部から引き離されて展開し、前記袋本体が展開したときに、前記分離した前記包装部が、前記印刷面を維持しつつ前記紐あるいは前記袋本体の一部とつながった状態となるように構成したことを特徴とする袋があった。
【考案の開示】
【考案が解決しようとする課題】
【０００４】
特許文献１は、袋本体は開封前にはコンパクトに本願考案の包装袋に相当する包装部に収納され携帯に便利な構造となっていた。しかし、袋本体の開口部を閉じるために紐が２本で構成されたり、切り込み線を２方向に設けたりと複雑な構造であるためコストが高くなるという問題点があった。
【０００５】
また、包装部は広告媒体としての機能も有しており、表面は印刷されていた。しかし、広告媒体の効果を発揮するために、包装部は印刷面がしわになりにくくなるように互いに交差する第１と第２の方向に切り込み線が設けられており、開封する際にどちらも破かれた。したがって、包装部は開封した後、袋本体を収納する機能は完全に発揮されず、折り畳まれた袋本体を収納しようとすると袋本体は展開しようとし、２方向に裂けられた包装部は袋本体の展開を抑止することができない。この状態のままであると、袋本体が勝手に展開しようとするため携帯するのに非常に不便である。袋本体を確実に収納しようとすれば、袋本体または袋本体を収納した包装袋を留めるために、輪ゴムやゴムバンド等の留め具が別途必要となり部品数が増加しコストが高くなるという問題点があった。また、再度収納できないという問題点があった。
【０００６】
本考案は上記の問題を解決するためになされたものであって、その目的とするところは、安価で再収納可能な携帯袋を提供することである。
【課題を解決するための手段】
【０００７】
請求項１に係る考案は、１本の輪状の紐と、該紐が挿通される挿通部と、該挿通部の両端に開口し、前記紐の一部が突出する挿通孔と、該挿通孔が近傍に設けられた、内部に物を出し入れ可能な開口部とを有する袋本体と、前記紐に設けられ、折り畳まれた前記袋本体を収納可能である、一部のみが開口された筒状の包装袋とを備えたことを特徴とする。
請求項２に係る考案は、請求項１に係る考案において、前記包装袋は、前記紐の径方向反対側に１つずつ設けられたことを特徴とする。
請求項３に係る考案は、請求項１に係る考案において、前記包装袋は、前記紐の一部に１つのみ設けられたことを特徴とする。
請求項４に係る考案は、請求項１に係る考案において、前記包装袋は、折り畳まれた前記袋本体の長さを有し、長手方向に切目が設けられて、前記紐の一部に１つのみ設けられたことを特徴とする。
請求項５に係る考案は、請求項１乃至４に係る考案において、前記包装袋の底部分に前記紐が接続されていることを特徴とする。
【考案の効果】
【０００８】
本考案は、上記の通り構成されているので、安価で再収納可能な携帯袋を提供することができる。
【考案を実施するための最良の形態】
【０００９】
以下、図面に基づいて本考案の実施の形態を詳細に説明する。本考案の携帯袋は紐を挿通した袋本体と包装袋で構成されている。紐、袋本体及び包装袋の材料は主に、生産性及び利便性で有利な塩化ビニルが用いられるが、他の合成樹脂または絹、麻等が用いられる場合もある。
【００１０】
最初に、袋本体の形態を説明する。図２（ａ）、（ｂ）及び図３（ａ）、（ｂ）に示されるように、内部に物を出し入れ可能な開口部を有する袋本体５は折れ線１で内側に折り返し、折り返された部分２における折れ線１と反対側の端部を向かい合った袋本体５と周方向に圧着することで固着されると、新たな内部に物を出し入れ可能な開口部及び紐６を挿通するための挿通部７が形成される。この挿通部７を形成する袋本体５の上方端部には、１本の輪状の紐６の径方向反対側がそれぞれ突出できるように、挿通孔８が設けられている。紐６は挿通部７に挿通されると同時に、挿通孔８から突出した状態となり、包装袋４の底部分９と接続されている。袋本体５を使用する際には、使い易さの点から包装袋４は裏返された状態でもよい。
【００１１】
ここで、固着方法は、圧着以外に接着剤を塗る方法やミシンにより糸を縫う方法でも可能である。
【００１２】
上述するように、本願考案では、紐を一本で構成することで従来技術に比して、生産コストを削減することができる。
【００１３】
次に、袋本体を折り畳む方法を説明する。
図４に示すように、袋本体５を完全に展開された状態において、袋本体５の右端から１／３の位置Ｙ１で袋本体５の左側２／３の部分を右へ折り、袋本体５の右端から２／３の位置Ｙ２で袋本体５の左側１／３の部分を外側に左へ折り返すと、袋本体５は図５のようになる。次に、水平方向に折り畳まれた袋本体５をＸ１から順番にＸ７まで包装袋４の鉛直方向長さｔ１で正面視略矩形となるように繰り返し折り畳まれると、袋本体５は図６のようになる。
【００１４】
次に、包装袋の形態（１）について説明する。図７（ａ）〜（ｃ）は包装袋の形態（１）において、包装袋１４を開封する前の状態から袋本体１５が包装袋１４から完全に脱した状態を表した図である。図７（ａ）に示すように、上述したように折り畳まれた袋本体１５を収納する包装袋１４は、正面から見ると矩形で、両長辺部１２及び両短辺部１１とも圧着により固着されている。両短辺部１１においては、それぞれが袋本体１５に挿通し挿通孔１８から突出している紐１６も一緒に圧着されており、紐１６と包装袋１４が接続されている。また、包装袋１４には水平方向中央付近に鉛直方向全周に亘り、１方向にのみ切り込み１３が設けられている。ここで、包装袋１４の両端を水平方向外側へ引っ張ると切り込み１３が裂け、包装袋１４が開封されると二分割される。袋本体１５はさらに引っ張られると図７（ｂ）のように袋本体１５が出てきて、さらには図７（ｃ）のように包装袋から完全に脱した状態となりその後展開される。
【００１５】
包装袋１４と紐１６を接続する方法は接着剤を塗る方法やミシン等で糸を縫う方法でもよい。また、切り込み１３の位置は水平方向中央付近でなくてもよく、方向は鉛直方向でなくてもよい。
【００１６】
使用後、袋本体１５を包装袋１４に収納する方法は、上述した様に袋本体１５を折り畳み、紐１６の両端と圧着している二分割され裏返された包装袋１４をそれぞれめくり返し外側から長辺方向に袋本体１５に覆い被せ収納する。
【００１７】
このように、本願考案では切り込み１３が１方向にのみで構成されているため、従来技術に比して生産コストを削減することができる。また、切り込み１３を１方向にしか設けないため、包装袋１４は開封後も袋本体１５を包装する機能を有する。したがって、使用してもその度に何度も包装袋１４を再利用することが可能となり、袋本体１５を包装袋１４に収納でき、袋本体１４を閉じる際に別途留め具を必要としないため、コスト削減することができる。
【００１８】
また、使用後に袋本体１５を完全に収納することができるため、雨天時に袋本体１５に物を入れて持ち運ぶことで表面が濡れた後若しくは袋本体１５が汚れた後等においても、鞄等に入れ携帯することができるため利用性に関しても有効である。さらに、袋本体１５を完全に覆い被せた状態で保管するので、損傷を軽減することができ袋本体１５の商品寿命が長くなる。
【００１９】
次に、包装袋の形態（２）について説明する。図８（ａ）及び（ｂ）は包装袋の形態（２）において、袋本体２５が包装袋２４に完全に覆い被らされている状態及び袋本体２５が包装袋２４から完全に脱した状態を表した図である。図８（ａ）に示すように、前記のように折り畳まれた袋本体２５を収納する包装袋２４は、正面から見ると矩形で両長辺部２２及び一短辺部２１が圧着により固着されている。短辺部２１においては、袋本体２５に挿通し挿通孔２８から突出している紐２６の一箇所と一緒に圧着されており、紐２６と包装袋２４が接続されている。圧着されていない他短辺部２１は袋本体２５が出入りするための開口部になっている。紐２６と圧着された包装袋２４の端部と、包装袋２４の開口部側の袋本体２５の端部を水平方向外側へ引っ張ると、袋本体２５が出てきて包装袋２４をめくり返すと図８（ｂ）のようになり、さらに引っ張ると展開される。
【００２０】
使用後、袋本体２５を包装袋２４に収納する方法は、上述した様に袋本体２５を折り畳み、紐２６の一箇所と圧着している包装袋２４をめくり返し外側から水平方向に袋本体２５に覆い被せ収納する。
【００２１】
包装袋の形態（１）以外に従来技術と比して、切り込みを設けないこと及び紐２６と包装袋２４の接続箇所が一箇所となることにより製造工程において作業項目数が減少するため、生産コスト削減の点で有効である。
【００２２】
次に、包装袋の形態（３）について説明する。図９（ａ）及び（ｂ）は包装袋の形態（３）において、袋本体３５が包装袋３４に完全に覆い被らされている状態及び袋本体３５が包装袋３４から完全に脱した状態を表した図である。図９（ａ）に示すように、前記のように折り畳まれた袋本体３５を収納する包装袋３４は、正面から見ると矩形で両長辺部３２及び両短辺部３１が圧着により固着されている。両長辺部３１の長さは折り畳まれた袋本体の水平方向長さｔ２を有す。一短辺部３１においては、袋本体３５に挿通し挿通孔３８から突出している紐３６の一箇所と一緒に圧着されており、紐３６と包装袋３４が接続されている。包装袋３４の少なくとも一面には、短辺中央付近に長辺方向全長に亘り切り込み３３を有している。切り込み３３を有している場合、切り込み３３のある面の切り込み３３で分かれた二つの面を短辺方向外側へ引っ張ると切り込み３３が裂けられ、包装袋３４が開封される。開封された箇所より袋本体３５を取り出すと図９（ｂ）のようになる。
【００２３】
使用後、袋本体３５を包装袋３４に収納する方法は、上述した様に袋本体３５を折り畳み、紐３６の一端と圧着している包装袋３４を外側から袋本体３５に覆い被せ収納する。
【００２４】
また、包装袋３４の一面には切り込み３３ではなく切目が設けられている場合もある。この場合は、最初から切り込みが裂けられていることと同等である。
【００２５】
次に、袋本体の使用方法について説明する。
従来技術のように携帯袋が紐２本で構成されている場合、２本の紐を水平方向外側へ逆に引っ張ることで開口部を閉じる。しかし、本考案の携帯袋は紐２６が１本であるので、図１（ａ）に示すように、紐２６の一端を持ち、紐２６を持った方の袋本体２５の挿通部２７近傍を紐２６に沿って他端へ水平方向に寄せ縮めることで開口部を閉じる。袋本体２５が寄せ縮められた側と反対側の紐２６の端部を取っ手又はショルダーストラップとして使用する。また、図１（ｂ）に示すように、袋本体５が寄せ縮められた側の紐６の端部を左右で突出している長さが同じ程度になるまで、袋本体５を押さえたまま外側へ引っ張り、紐６の両端を取っ手又はショルダーストラップとして使用することもできる。尚、取っ手及びショルダーストラップは、携帯袋の使用方法の一形態であるので、他の方法で携帯しても良い。
【図面の簡単な説明】
【００２６】
【図１】携帯袋の使用状況を示した図であり、（ａ）は紐が片方に突出した場合における斜視図、（ｂ）は紐が左右に同程度突出した場合における斜視図である。
【図２】挿通部が形成される前の袋本体を示した図であり、（ａ）は正面図、（ｂ）はＡ−Ａ断面図である。
【図３】挿通部が形成された後の袋本体を示した図であり、（ａ）は正面図、（ｂ）はＢ−Ｂ断面図である。
【図４】袋本体が折り畳まれる前における携帯袋全体の正面図である。
【図５】袋本体が水平方向に折り返された携帯袋全体の斜視図である。
【図６】袋本体が完全に折り畳まれた携帯袋全体の斜視図である。
【図７】包装袋の形態（１）を示した携帯袋全体図であり、（ａ）は包装袋を開封する前の携帯袋全体の正面図、（ｂ）は包装袋を水平方向外側に引っ張った携帯袋全体の正面図、（ｃ）は袋本体が包装袋から完全に脱した状態の携帯袋全体の斜視図である。
【図８】包装袋の形態（２）を示した携帯袋全体図であり、（ａ）は包装袋から袋本体を出す前の携帯袋全体の正面図、（ｂ）は袋本体が包装袋から完全に脱した状態の携帯袋全体の斜視図である。
【図９】包装袋の形態（３）を示した携帯袋全体図であり、（ａ）包装袋を開封する前の携帯袋全体の正面図、（ｂ）袋本体が包装袋から完全に脱した状態の携帯袋全体の斜視図である。
【符号の説明】
【００２７】
１………折れ線
２………折り返された部分
３………圧着線
４………包装袋
５………袋本体
６………紐
７………挿通部
８………挿通孔
９………底部分
１１……短辺部
１２……長辺部
１３……切り込み
１４……包装袋
１５……袋本体
１６……紐
１８……挿通孔
２１……短辺部
２２……長辺部
２３……切り込み
２４……包装袋
２５……袋本体
２６……紐
２７……挿通部
２８……挿通孔
３１……短辺部
３２……長辺部
３３……切り込み
３４……包装袋
３５……袋本体
３６……紐
３８……挿通孔
ｔ１……包装袋の鉛直方向長さ
ｔ２……折り畳まれた袋本体の水平方向長さ
【図１】
0003123830.tif 000003
【図２】
0003123830.tif 000004
【図３】
0003123830.tif 000005
【図４】
0003123830.tif 000006
【図５】
0003123830.tif 000007
【図６】
0003123830.tif 000008
【図７】
0003123830.tif 000009
【図８】
0003123830.tif 000010
【図９】
0003123830.tif 000011